【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
エレメンタリーストリームからＭＰ４ファイルを生成するファイル生成方法であって、
複数のエレメンタリーストリームのそれぞれを示す識別情報が含まれるプレイリストを取得し、
取得した前記プレイリストに含まれる所定の識別情報によって示されるエレメンタリーストリームを選択し、
前記エレメンタリーストリームに含まれていないデータである差分ファイルを取得し、
選択した前記エレメンタリーストリームに対応しているマニフェストファイルであって、所定のルールに基づいてファイルのフォーマットを変換するために必要なマニフェストファイルに基づいて、前記差分ファイルに含まれるデータと前記エレメンタリーストリームに含まれるデータとを組み合わせることによって、前記ＭＰ４ファイルを生成する
ファイル生成方法。
【請求項２】
前記ＭＰ４ファイルの生成において、前記エレメンタリーストリームに含まれるデータはＭＰ４のファイルフォーマットにおけるデータ格納形式に変換され、
前記プレイリストは、さらに、前記所定の識別情報によって示されるエレメンタリーストリームの一部の区間を示す区間情報を含み、
前記選択では、さらに、前記区間情報で示される前記エレメンタリーストリームの前記区間を選択し、
前記変換では、選択された前記エレメンタリーストリームの前記区間をＭＰ４のファイルフォーマットに変換する
請求項１に記載のファイル生成方法。
【請求項３】
前記区間情報は、前記エレメンタリーストリームの復号または表示の時刻を示す時刻情報で示されており、
前記マニフェストファイルは、前記時刻と前記エレメンタリーストリームにおける位置とが対応付けられた情報であり、
前記変換では、
前記マニフェストファイルから、前記プレイリストの前記区間情報により示される時刻情報に対応した、前記エレメンタリーストリームにおける前記区間の位置を特定し、
特定した前記エレメンタリーストリームの前記区間を抽出し、
抽出した前記エレメンタリーストリームの前記区間をＭＰ４のファイルフォーマットに変換する
請求項２に記載のファイル生成方法。
【請求項４】
前記プレイリストは、
第１エレメンタリーストリームを示す第１識別情報と、第２エレメンタリーストリームを示す第２識別情報とを前記所定の識別情報として、かつ、
前記第１エレメンタリーストリームの第１区間を示す第１区間情報と、前記第２エレメンタリーストリームの第２区間を示す第２区間情報とを前記区間情報として含み、
前記選択では、取得した前記プレイリストから、前記第１識別情報によって示される前記第１エレメンタリーストリームのうちの前記第１区間情報で示される前記第１区間と、前記第２識別情報によって示される前記第２エレメンタリーストリームのうちの前記第２区間情報で示される前記第２区間と、を選択し、
前記変換では、選択した前記第１エレメンタリーストリームの前記第１区間と、前記第２エレメンタリーストリームの前記第２区間とを含むデータをＭＰ４のファイルフォーマットに変換する
請求項２または３に記載のファイル生成方法。
【請求項５】
前記変換では、
前記第１エレメンタリーストリームに対応している第１マニフェストファイルに基づいて、選択した前記第１エレメンタリーストリームの前記第１区間を抽出し、
前記第２エレメンタリーストリームに対応している第２マニフェストファイルに基づいて、選択した前記第２エレメンタリーストリームの前記第２区間を抽出し、
抽出した前記第１区間及び前記第２区間を含むデータをＭＰ４のファイルフォーマットに変換する
請求項４に記載のファイル生成方法。
【請求項６】
前記変換では、
さらに、前記エレメンタリーストリームに対応する音声のＭＰ４ファイルを取得し、
選択した前記エレメンタリーストリームに対応しているマニフェストファイルに基づいて、当該エレメンタリーストリームに対応している映像のエレメンタリーストリームを抽出し、
抽出した前記映像のエレメンタリーストリームと、選択した前記音声のＭＰ４ファイルとを用いて、前記ＭＰ４ファイルを生成する
請求項１から５のいずれか１項に記載のファイル生成方法。
【請求項７】
前記選択では、
ユーザーからの入力を受け付けるためのメニューを生成し、
生成したメニューへの入力を受け付け、
受け付けたメニューへの入力に応じて決定されたプレイリストからエレメンタリーストリームを選択する
請求項１から６のいずれか１項に記載のファイル生成方法。
【請求項８】
前記マニフェストファイルに基づいて、前記差分ファイルに含まれるデータと、前記エレメンタリーストリームに含まれるデータとを、交互に配列することで、前記ＭＰ４ファイルを生成する
請求項１に記載のファイル生成方法。
【請求項９】
前記マニフェストファイルには、
前記差分ファイルに含まれるデータのうち前記交互に配列する範囲に関して、データサイズによって記載されており、
前記エレメンタリーストリームに含まれるデータのうち前記交互に配列する範囲に関して、開始位置およびデータサイズによって記載されている
請求項８に記載のファイル生成方法。
【請求項１０】
前記差分ファイルに含まれるデータのうち、前記エレメンタリーストリームに含まれるデータと組み合わされるデータは、前記ＭＰ４のヘッダ情報となるデータである
請求項１に記載のファイル生成方法。
【請求項１１】
エレメンタリーストリームからＭＰ４ファイルを生成するファイル生成装置であって、
複数のエレメンタリーストリームのそれぞれを示す識別情報が含まれるプレイリストを取得する第１取得部と、
取得した前記プレイリストに含まれる所定の識別情報によって示されるエレメンタリーストリームを選択する選択部と、
前記エレメンタリーストリームに含まれていないデータである差分ファイルを取得する第２取得部と、
選択した前記エレメンタリーストリームに対応しているマニフェストファイルであって、所定のルールに基づいてファイルのフォーマットを変換するために必要なマニフェストファイルに基づいて、前記差分ファイルに含まれるデータと前記エレメンタリーストリームに含まれるデータとを組み合わせることによって、前記ＭＰ４ファイルを生成する生成部と、を備える
ファイル生成装置。
【請求項１２】
複数のＭＰＥＧ２−ＴＳファイルと、
前記複数のＭＰＥＧ２−ＴＳファイルに含まれる複数のエレメンタリーストリームのそれぞれを示す識別情報が含まれるプレイリストと、
選択した前記エレメンタリーストリームに対応しているマニフェストファイルであって、所定のルールに基づいてファイルのフォーマットを変換するために必要なマニフェストファイルと、
前記エレメンタリーストリームに含まれていないデータである差分ファイルと、を記録している
記録媒体。
【手続補正２】
【補正対象書類名】明細書
【補正対象項目名】０００９
【補正方法】変更
【補正の内容】
【０００９】
本発明の一態様に係るファイル生成方法は、エレメンタリーストリームからＭＰ４ファイルを生成するファイル生成方法であって、複数のエレメンタリーストリームのそれぞれを示す識別情報が含まれるプレイリストを取得し、取得した前記プレイリストに含まれる所定の識別情報によって示されるエレメンタリーストリームを選択し、前記エレメンタリーストリームに含まれていないデータである差分ファイルを取得し、選択した前記エレメンタリーストリームに対応しているマニフェストファイルであって、所定のルールに基づいてファイルのフォーマットを変換するために必要なマニフェストファイルに基づいて、前記差分ファイルに含まれるデータと前記エレメンタリーストリームに含まれるデータとを組み合わせることによって、前記ＭＰ４ファイルを生成する。